(57)【要約】【課題】  リビング、ダイニング、キッチンの配置をライフスタイルに応じて自由に変更することが可能な戸建住宅を提供することを目的とする。【解決手段】  戸建住宅１は、１階が、非居室を配置する非居室スペース２と、区画壁Ｗ１によって非居室スペース２から区画される大空間居室３と、からなり、２階に、廊下１０と繋がって形成され、主寝室４の略半分以上の面積を有するフリースペース６を備えた２階建ての住宅であって、大空間居室３は、面積が３０平米以上であり、大空間居室３内の任意の位置にリビング３Ａ、ダイニング３Ｂ、キッチン３Ｃを配置し、フリースペース６にサブリビング３Ｄを配置する。【選択図】図３
2020190114.tif 000002
【特許請求の範囲】
【請求項１】
１階が、非居室を配置する非居室スペースと、区画壁によって当該非居室スペースから区画される大空間居室と、からなり、
２階に、廊下と繋がって形成され、主寝室の略半分以上の面積を有するフリースペースを備えた２階建ての戸建住宅であって、
前記大空間居室は、面積が３０平米以上であり、
前記大空間居室内の任意の位置にリビング、ダイニング、キッチンを配置し、前記フリースペースにサブリビングを配置することを特徴とする戸建住宅。
【請求項２】
１階が、非居室を配置する非居室スペースと、区画壁によって当該非居室スペースから区画される大空間居室と、からなり、
２階に、第１間仕切壁によって廊下と隔てられ、主寝室の過半以上の面積を有するフリースペースを備えた２階建ての戸建住宅であって、
前記大空間居室内の任意の位置にリビング、ダイニング、キッチンを配置するとともに、前記フリースペースにサブリビングを配置し、
前記第１間仕切壁は、２つの出入口扉を有することを特徴とする戸建住宅。
【請求項３】
前記フリースペースは、前記第１間仕切壁と、前記フリースペースを挟んで前記第１間仕切壁に相対向する第２間仕切壁と、を繋ぐ第３間仕切壁によって複数の室に分割され、
前記第３間仕切壁は、前記第１間仕切壁の前記２つの扉同士の間から延出することを特徴とする請求項２に記載の戸建住宅。
【請求項４】
前記フリースペースは、第４間仕切壁を介して主寝室と隣接しており、
前記複数の室のうち一方の室は、前記第４間仕切壁を取外すことによって前記主寝室と一体化することを特徴とする請求項３に記載の戸建住宅。
【請求項５】
前記大空間居室は、前記区画壁を介して屋外に形成されたウッドデッキスペースと隣接しており、前記区画壁に形成された透過性を有する掃出し窓によって前記ウッドデッキスペースと行き来可能であることを特徴とする請求項１から請求項４のいずれかに記載の戸建住宅。
【請求項６】
前記区画壁は、平面視略ロ字型状に形成され、且つ、一方向の中心間距離を８ｍ〜１０ｍ、他方向の中心間距離を４ｍ〜６ｍで形成されることを特徴とする請求項１から請求項５のいずれかに記載の戸建住宅。
【請求項７】
前記大空間居室及び前記フリースペースは、それぞれ天井面全体及び床面全体をフラットに形成されることを特徴とする請求項１から請求項６のいずれかに記載の戸建住宅。
【発明の詳細な説明】
【技術分野】
【０００１】
本発明は、１階に形成される大空間居室内の任意の位置にリビング、ダイニング、キッチンを配置し、２階に形成されるフリースペースにサブリビングを配置する２階建の戸建住宅に関する。
【背景技術】
【０００２】
従来より、住宅の間取りにおいて、リビング、ダイニング、及びキッチンを１室にまとめて一体化させ、所謂ＬＤＫを形成することが一般化している（例えば、特許文献１）。このようなＬＤＫ発想では、一般的に「Ｌ：団欒、くつろぎ」「Ｄ：食事」「Ｋ：調理」とそれぞれの空間を機能別に区分けすることで予め配置を決めることが多いが、昨今、目まぐるしく変化する現代社会に適応するには限界があり、居住者の多様なライフスタイルにより柔軟に対応できる住宅が求められている。また一方で、子育てを行うファミリー世帯では、リビングという同一空間に家族全員が留まりながらもそれぞれ自由に行動することが多く、家族団欒を楽しむ空間は、個々の行為を干渉しないためにある程度の広さを確保するとともに、家族の気配やつながりを感じ取るために仕切りを排除された空間とすることが望まれている。
【０００３】
そこで、非居室を配置するコアスペースと、居室を配置するためのフリースペースと、を構造柱を含む間仕切り部材で区画し、フリースペースを間仕切のない大空間とすることで、ライフスタイルの変化に応じて適切な居室をフリースペース内に形成することが可能な戸建住宅が提案されている（特許文献２）。
【先行技術文献】
【特許文献】
【０００４】
【特許文献１】特開２００２−１８０６７７
【特許文献２】特開２０１２−２１９４４９
【発明の概要】
【発明が解決しようとする課題】
【０００５】
しかしながら、特許文献２に記載の戸建住宅では、フリースペースを大空間としているものの、キッチンを配置する位置やその広さは予め確定しているため、リビング、ダイニング、キッチンをそれぞれ自由に配置できるとは言い難い。また、従来のＬＤＫの間取りでは、一般的に快適な住環境を形成するとされているリビング、ダイニング、キッチンの広さや各スペース同士の面積比率を考慮していることが多いが、このように定義された広さや面積比率に基づく各スペースの形成は、多様化する居住者のライフスタイルに対応することが困難であり、よりフレキシブルな間取りを提案することが急務となっている。
【０００６】
そこで、本発明は、上述した課題を鑑みてなされたものであって、リビング、ダイニング、キッチンをライフスタイルに応じて自由に配置することが可能な戸建住宅を提供することを目的とする。
【課題を解決するための手段】
【０００７】
本発明の第１の戸建住宅は、１階が、非居室を配置する非居室スペースと、区画壁によって当該非居室スペースから区画される大空間居室と、からなり、２階に、廊下と繋がって形成され、主寝室の略半分以上の面積を有するフリースペースを備えた２階建ての戸建住宅であって、前記大空間居室は、面積が３０平米以上であり、前記大空間居室内の任意の位置にリビング、ダイニング、キッチンを配置し、前記フリースペースにサブリビングを配置することを特徴としている。
【０００８】
本発明の第２の戸建住宅は、１階が、非居室を配置する非居室スペースと、区画壁によって当該非居室スペースから区画される大空間居室と、からなり、２階に、第１間仕切壁によって廊下と隔てられ、主寝室の過半以上の面積を有するフリースペースを備えた２階建ての戸建住宅であって、前記大空間居室内の任意の位置にリビング、ダイニング、キッチンを配置するとともに、前記フリースペースにサブリビングを配置し、前記第１間仕切壁は、２つの出入口扉を有することを特徴としている。
【０００９】
本発明の第３の戸建住宅は、前記フリースペースは、前記第１間仕切壁と、前記フリースペースを挟んで前記第１間仕切壁に相対向する第２間仕切壁と、を繋ぐ第３間仕切壁によって複数の室に分割され、前記第３間仕切壁は、前記第１間仕切壁の前記２つの扉同士の間から延出することを特徴としている。
【００１０】
本発明の第４の戸建住宅は、前記フリースペースが、第４間仕切壁を介して主寝室と隣接しており、前記複数の室のうち一方の室は、前記第４間仕切壁を取外すことによって前記主寝室と一体化することを特徴としている。
【００１１】
本発明の第５の戸建住宅は、前記大空間居室が、前記区画壁を介して屋外に形成されたウッドデッキスペースと隣接しており、前記区画壁に形成された透過性を有する掃出し窓によって前記ウッドデッキスペースと行き来可能であることを特徴としている。
【００１２】
本発明の第６の戸建住宅は、前記区画壁が、平面視略ロ字型状に形成され、且つ、一方向の中心間距離を８ｍ〜１０ｍ、他方向の中心間距離を４ｍ〜６ｍで形成されることを特徴としている。
【００１３】
本発明の第７の戸建住宅は、前記大空間居室及び前記フリースペースが、それぞれ天井面全体及び床面全体をフラットに形成されることを特徴としている。
【発明の効果】
【００１４】
本発明の第１の戸建住宅によると、リビング、ダイニング、及びキッチンは、大空間居室内の任意の位置に配置されるとともに、サブリビングを２階のフリースペースに配置するので、従来のようにリビング、ダイニング、キッチンの広さや配置を拘束せず柔軟に選択することができ、また、上下階でリビングを使い分けることで多様なライフスタイルに対応することができる。そして、大空間居室は１階の非居室スペースを除く３０平米以上の纏まった空間であり、また、フリースペースは２階廊下に対して開放的な空間であるため、大居室空間やフリースペースに留まる居住者は、他の居住者の気配やつながりを感じ取りながらも互いに個々の行為に干渉することなく快適に滞在することができる。
【００１５】
本発明の第２の戸建住宅によると、リビング、ダイニング、及びキッチンは、大空間居室内の任意の位置に配置されるとともに、サブリビングを２階のフリースペースに配置するので、従来のようにリビング、ダイニング、キッチンの広さや配置を拘束せず柔軟に選択することができ、また、上下階でリビングを使い分けることで多様なライフスタイルに対応することができる。また、大空間居室は１階の非居室スペースを除く纏まった大空間であるため、大空間居室に留まる居住者は、他の居住者の気配やつながりを感じ取りながらも互いに個々の行為に干渉することなく快適に滞在することができる。そして、第１間仕切壁は予め２つの出入口扉を設置されているので、家族構成やライフスタイルが変化した場合、第１間仕切壁に直交する新たな間仕切壁をこの２つの出入口扉同士の間に設置するだけで、フリースペースを容易に２つの個室に分割することができる。
【００１６】
本発明の第３の戸建住宅によると、フリースペースは、第１間仕切壁と、第１間仕切壁に相対向する第２間仕切壁と、を繋ぐ第３間仕切壁によって複数の室に分割され、第３間仕切壁は、第１間仕切壁の２つの扉同士の間から延出するので、フリースペースを容易に２つの個室に分割することができ、家族構成やライフスタイルの変化に応じて柔軟に対応可能な住宅とすることができる。
【００１７】
本発明の第４の戸建住宅によると、フリースペースは、第４間仕切壁を介して主寝室と隣接しており、複数の室のうち一方の室は、第４間仕切壁を取外すことによって主寝室と一体化するので、夫婦の主寝室内に、団欒や趣味などを楽しむためのフリースペースを形成することができ、様々なライフスタイルに柔軟に対応することができる。
【００１８】
本発明の第５の戸建住宅によると、大空間居室は、区画壁を介して屋外に形成されたウッドデッキスペースと隣接しており、区画壁に形成された透過性を有する掃出し窓によってウッドデッキスペースと行き来可能であるため、大空間居室からウッドデッキスペースへ空間が広がるような視覚効果を得ることができ、居住者はより快適に大空間居室での滞在を楽しむことができる。
【００１９】
本発明の第６の戸建住宅によると、区画壁は、平面視略ロ字型状に形成され、且つ、一方向の中心間距離が８ｍ〜１０ｍ、他方向の中心間距離が４ｍ〜６ｍであるので、居住者は、大空間居室内で閉塞感や窮屈さを感じることが少なく、快適に滞在することができる。
【００２０】
本発明の第７の戸建住宅によると、大空間居室及びフリースペースは、それぞれ天井面全体及び床面全体をフラットに形成されるので、居住者は空間全体を見通すことができ、他の居住者の気配を感じながら各空間内に滞在することができる。
【図面の簡単な説明】
【００２１】
【図１】第１実施形態の戸建住宅を示す１階平面図。
【図２】第１実施形態の戸建住宅を示す２階平面図。
【図３】大空間居室にリビング、ダイニング、キッチンを配置し、フリースペースにサブリビングを配置した第１実施形態の戸建住宅を示す各階平面図。
【図４】大空間居室にダイニング、キッチンを配置し、フリースペースにサブリビングを配置した第１実施形態の戸建住宅を示す各階平面図
【図５】大空間居室にリビングのみを配置し、フリースペースにサブリビングを配置した第１実施形態の戸建住宅を示す各階平面図。
【図６】第２実施形態の戸建住宅を示す１階平面図。
【図７】第２実施形態の戸建住宅を示す２階平面図。
【図８】大空間居室にリビング、ダイニング、キッチンを配置し、フリースペースを分割した第２実施形態の戸建住宅を示す各階平面図。
【図９】大空間居室にリビング、ダイニング、キッチンを配置し、フリースペースの一部を主寝室内に取り込んだ第２実施形態の戸建住宅を示す各階平面図。
【発明を実施するための形態】
【００２２】
＜第１実施形態＞
以下、本発明に係る戸建住宅１の実施形態について図１〜図５を参照しつつ説明する。戸建住宅１は、主に子育てを行うファミリー世帯が暮らす住宅であり、子供の成長や目まぐるしく変化する現代のライフスタイルに柔軟に対応することを目的とした住宅である。図１及び図２は、本発明の戸建住宅１の一例を示すもので、図１は１階平面図、図２は２階平面図をそれぞれ示している。なお、本発明において「左」、「右」、「上」、「下」とは図１〜図８における左方向、右方向、上方向、下方向をそれぞれ指すものとする。また、本願において「繋がって形成される」とは、各領域が床面から天井面までを閉塞する間仕切壁によって分断されていないことを意味する。
【００２３】
まず戸建住宅１の各階の平面構成について説明する。図１に示すように、戸建住宅１は、略矩形状に形成された敷地Ｓ１の左右略中央、且つ、上寄りに配置されており、敷地Ｓ１は、下側が道路Ｒ１と接するとともに、上、左、右側が隣地Ｓ２と接している。戸建住宅１の１階は、下側に配置される玄関２Ａ、左側に固まって配置されるパントリー２Ｂ、浴室２Ｃ、洗面室２Ｄ、１階トイレ２Ｅ、１階トイレ２Ｅの右側に形成される階段室２Ｇ、及び物入れ２Ｈ、からなる非居室スペース２と、略ロ字型状の第１区画壁Ｗ１によって非居室スペース２と区画される大空間居室３、とによって構成されている。
【００２４】
また、図２に示すように、戸建住宅１の２階は、左下側に配置される夫婦の主寝室４、右下側に配置される子供部屋５、主寝室４と子供部屋５との間に形成されるフリースペース６、主寝室４の上側に配置されるウォークインクローゼット７、ウォークインクローゼット７の右側に形成される２階トイレ８、子供部屋５の上側に配置される納戸９、そして、ウォークインクローゼット７を除く各室同士を繋ぐ第１廊下１０、とによって構成されている。
【００２５】
図１に示すように、大空間居室３は、１階の非居室スペース２以外のスペースを占有する大空間であり、第１区画壁Ｗ１によって囲まれた平面視略ロ字型状の空間には間仕切や構造柱が全く露出しておらず、第１区画壁Ｗ１は、一方向の中心間距離Ｌ１を８ｍ〜１０ｍ程度、他方向の中心間距離Ｄ１を４ｍ〜６ｍ程度、で形成され、室面積は３０平米以上となっている。また、大空間居室３は、上下の第１区画壁Ｗ１を介して外部に配置されたウッドデッキスペースＸ１、Ｘ２に隣接しており、第１区画壁Ｗ１に形成された透過性を有する掃出し窓Ｙ１、Ｙ２から行き来可能となっている。そして、フリースペース６は、図２に示すように、第１廊下１０と間仕切壁によって隔てられずに繋がって形成されており、第１廊下１０に対し開放的な空間となっている。フリースペース６の大きさは、１２平米〜２０平米程度で形成される主寝室４の略半分以上の面積を有しており、例えば、間仕切壁の幅方向の中心間距離Ｌ２を２．５ｍ程度以上、奥行き方向の中心間距離Ｄ２を３．５ｍ程度以上とすることが望ましい。また、大居室空間３及びフリースペース６のそれぞれの天井及び床は、全体を通じて段差のないフラットな構成とすることが望ましく、このような構成とすることにより居住者は空間全体を見通すことができ、他の居住者の気配を感じながら各スペース３、６に滞在することができる。
【００２６】
このように形成される戸建住宅１は、図３〜図５に示すように、住宅の中心となるリビング３Ａ、ダイニング３Ｂ、キッチン３Ｃを居住者のライフスタイルに応じて大空間居室３内の任意の位置に配置するとともに、フリースペース６にサブリビング３Ｄを配置することができる。例えば、来客と過ごす応接機能的な空間と、家族で使用するよりプライベートな空間とを分けたい場合は、図３に示すように、１階の大空間居室３に応接機能としてのリビング３Ａ、ダイニング３Ｂ、キッチン３Ｃを任意の位置に配置し、２階のフリースペース６に配置したサブリビング３Ｄを家族が使用するプライベートなリビングとすることで、公私空間を上下階で分けることができる。また、ホームパーティや食事会を頻繁に開催したり、戸建住宅１内で料理教室を行うなど調理や食事を行う空間を広く確保したい場合は、図４に示すように、大空間居室３内に広いダイニング３Ｂ及びシステムキッチン３ａを有するキッチン３Ｃを任意の位置に配置し、２階のフリースペース６に配置したサブリビング３Ｄをメインのリビングとしてもよい。そして、外食が多く戸建住宅１内で調理を行うことがほとんどない場合は、図５に示すように、大空間居室３の過半以上を広々としたリビング３Ａとし、大空間居室３内の端に、食器を洗う程度の必要最低限の機能を有する小さな流し台３ｂを置いてもよく、その場合は、フリースペース６内のサブリビング３Ｄは、趣味を楽しむ趣味スペースや仕事を行うワークスペースとして使用してもよい。
【００２７】
このように戸建住宅１は、居住者のライフスタイルに応じて、各スペース３Ａ、３Ｂ、３Ｃを大空間居室３の任意の位置に配置するとともに、第１廊下１０に対し開放的なフリースペース６にサブリビング３Ｄを配置するので、上下階で家族団欒のための空間を柔軟に形成することができ、よりフレキシブルな居住空間を構築することができる。そして、各階に用途を指定しない纏まりのある空間３、６を配置することで各空間３、６内にリビング、ダイニング、キッチンなどのいずれの用途も有しない余白の空間が生じるため、各居住者は同一の空間に滞在しながらもこの余白空間を使って互いに干渉することなく自由に過ごすことができ、多様なライフスタイルや家族の形に対応できる居住空間とすることができる。なお図３〜図５は、リビング３Ａ、ダイニング３Ｂ、キッチン３Ｃの配置の一例であり、図示例以外の配置としてもよい。また、大居室空間３及びフリースペース６内に配置されるシステムキッチン３ａや流し台３ｂ、家具などの位置は自由に変更することができる。
【００２８】
したがって本願の戸建住宅１は、各階に大空間居室３及びフリースペース６を形成することで、リビング３Ａ、ダイニング３Ｂ、キッチン３Ｃ、サブリビング３Ｄの配置を自由に組立て、居住者の多様なライフスタイルに応じてより柔軟性の高い間取りを実現することができる。そして、大空間居室３は間仕切や構造柱などに遮られることのないまとまりのある空間であり、また、フリースペース６は第１廊下１０に対して開放的であるので、大空間居室３、及びフリースペース６に留まる居住者は、他の居住者の気配やつながりを感じ取りながらも互いに個々の行為を干渉することなく快適に各フリースペース３、６に滞在することができる。
【００２９】
＜第２実施形態＞
続いて、第２実施形態の戸建住宅１１の実施形態について図６〜図９を参照しつつ説明する。図６に示すように、戸建住宅１１は、略矩形状の敷地Ｓ３の上下略中央、且つ、左寄りに配置されており、敷地Ｓ３は、右側が道路Ｒ２と接するとともに、上、下、左側が隣地Ｓ４と接している。戸建住宅１１の１階は、上側に固めて配置される玄関１２Ａ、玄関収納１２Ｂ、階段室１２Ｃ、１階トイレ１２Ｄ、洗面室１２Ｅ、浴室１２Ｆ、及び戸建住宅１１の下側に配置されるパントリー１２Ｇ、からなる非居室スペース１２と、略ロ字型状の第２区画壁Ｗ２によって非居室スペース１２と区画される大空間居室１３、とによって構成されている。
【００３０】
また、図７に示すように、戸建住宅１１の２階は、左下に配置される夫婦の主寝室１４、右下に配置されるフリースペース１５、主寝室１４の上側に配置されるウォークインクローゼット１６、ウォークインクローゼット１６の右側に形成される２階トイレ１７、及び物入れ１８、フリースペース１５の上側に配置される納戸１９、及びウォークインクローゼット１６を除く各室同士を繋ぐ第２廊下２０、によって構成されている。
【００３１】
図６に示すように、大空間居室１３は、１階の非居室スペース１２以外のスペースを占有する大空間であり、第２区画壁Ｗ２によって囲まれた略ロ字型状の空間には間仕切や構造柱が全く露出しておらず、第２区画壁Ｗ２の一方向の中心間距離や他方向の中心間距離は、第１実施形態の大空間居室３と同様の構成となっている。また、大空間居室１３は、右下側の第２区画壁Ｗ２を介して外部に配置されたウッドデッキスペースＸ３に隣接しており、第２区画壁Ｗ２に形成された透過性を有するＬ字型状の掃出し窓Ｙ３から行き来可能となっている。そしてフリースペース１５は、図７に示すように、第２廊下２０と第１間仕切壁Ｗ３によって隔てられており、第１間仕切壁Ｗ３の略中央部には２つの出入口扉Ｙ４、Ｙ５が設置されている。また、フリースペース１５の大きさは、１５平米〜２０平米程度で形成される主寝室１４の過半以上の面積を有しており、例えば、開口方向の距離Ｌ３を４．５ｍ程度以上、奥行き方向の距離Ｄ３を３．５ｍ程度以上とすることが望ましい。
【００３２】
このように形成される戸建住宅１１には、図６〜図９に示すように、リビング１３Ａ、ダイニング１３Ｂ、キッチン１３Ｃを居住者のライフスタイルに応じて大空間居室１３の任意の位置に配置するとともに、フリースペース１５にサブリビング１３Ｄを配置することができる。図６及び図７に示す例では、大空間居室１３に配置したダイニング１３Ｂ、及びキッチン１３Ｃを来客用のホームパーティや食事会など応接機能として積極的に使用し、一方でフリースペース１５に配置したサブリビング１３Ｄを家族団欒の場として使用することで上下階で公私の空間を分けている。そして、子供が成長して子供部屋が必要になった場合、図８に示すように、１階の大空間居室１３にリビング１３Ａ、ダイニング１３Ｂ、キッチン１３Ｃを配置し、また、第１間仕切壁Ｗ３と、フリースペース１５を挟んで第１間仕切壁Ｗ３に相対向する第２間仕切壁Ｗ４と、を第１間仕切壁Ｗ３に直交する第３間仕切壁Ｗ５で繋いでフリースペース１５内に形成されたサブリビング１３Ｄを分割することにより、複数の子供部屋２１を形成することができる。このとき、第１間仕切壁Ｗ３には、予め２つの出入口扉Ｙ４、Ｙ５が設置されているので、第３間仕切壁Ｗ５を第１間仕切壁Ｗ３の２つの出入口扉Ｙ４、Ｙ５同士の間から延出させることにより、フリースペース１５（サブリビング１３Ｄ）を容易に２つの個室に分割することができる。
【００３３】
また、子供部屋２１が１つで十分な場合は、図９に示すように、フリースペース１５（サブリビング１３Ｄ）を分割するとともに、フリースペース１５と主寝室１４とを隔てる第４間仕切壁Ｗ６を取除き、フリースペース１５の一部と主寝室１４とを一体化してもよい。このとき、フリースペース１５だった部分を、例えば、夫婦で寛ぐためのサブスペース２２として使用することができる。
【００３４】
このように、本願の戸建住宅１１によると、大空間居室１３及びフリースペース１５を有することにより、居住者の変化する家族構成やライフスタイルに応じてより柔軟性の高い間取りを実現することが可能となる。
【００３５】
本発明の実施の形態は上述の形態に限ることなく、本発明の思想の範囲を逸脱しない範囲で適宜変更することができる。
【産業上の利用可能性】
【００３６】
本発明に係る戸建住宅は、ライフスタイルに応じてリビング、ダイニング、キッチンの広さや配置を変更する際に好適に使用することができる。
【符号の説明】
【００３７】
１、１１        戸建住宅
２、１２        非居室スペース
３、１３        大空間居室
４、１４        主寝室
６、１５        フリースペース
３Ａ、１３Ａ    リビング
３Ｂ、１３Ｂ    ダイニング
３Ｃ、１３Ｃ    キッチン
３Ｄ、１３Ｄ    サブリビング
２１            子供室（複数の室）
Ｗ１            第１区画壁（区画壁）
Ｗ２            第２区画壁（区画壁）
Ｗ３            第１間仕切壁
Ｗ４            第２間仕切壁
Ｗ５            第３間仕切壁
Ｗ６            第４間仕切壁
Ｌ１              区画壁の一方向の中心間距離
Ｄ１              区画壁の他方向の中心間距離
Ｙ１、Ｙ２、Ｙ３  掃出し窓
Ｙ４、Ｙ５        出入口扉
Ｘ１、Ｘ２、Ｘ３  ウッドデッキスペース
【図１】
2020190114.tif 000003
【図２】
2020190114.tif 000004
【図３】
2020190114.tif 000005
【図４】
2020190114.tif 000006
【図５】
2020190114.tif 000007
【図６】
2020190114.tif 000008
【図７】
2020190114.tif 000009
【図８】
2020190114.tif 000010
【図９】
2020190114.tif 000011